(57)【要約】  【課題】  キー操作により上書き操作を可能にして、キー操作回数を削減し、編集作業の時間短縮を図れる光ディスク記録再生装置を提供する。  【解決手段】  上書き開始したい場所でレジュームオン状態で停止され、上書きキーをＮ回押下すると、Ｎ回に対応する上書き時間が算出される。例えば、押下回数が２回であれば、上書き時間が１０分になり、この上書き時間が１つのタイトル内の削除で可能であれば、上書き時間分のシーンが削除される。一方、前記算出された上書き時間が１つのタイトル内の削除では不可能であれば、その後のタイトルも加えたタイトルについて、上書き時間と等しくなったところでタイトルまたはシーンが削除される。この削除処理が行われた後、記録したい映像の上書きが開始される。【選択図】      図３
2006054025.tif 000002
【特許請求の範囲】
【請求項１】
光ディスクに対して情報の記録／再生を行う光ディスク記録再生装置において、上書き
処理を操作するための上書きキーを操作部に設け、この上書きキーの押下回数と上書き時
間との関係を示すテーブルをメモリに記憶させておき、光ディスクに対する再生が開始し
て上書きを開始したい場所で停止された時にレジュームオン状態で停止させるレジューム
停止手段と、前記レジュームオン状態で停止させた後に操作された前記上書きキーの押下
回数を検出する押下回数検出手段と、前記テーブルを参照して前記押下回数から上書き時
間を算出する上書き時間算出手段と、前記算出された上書き時間が１つのタイトル内の削
除で可能であるか否かを判定する削除可能判定手段と、前記算出された上書き時間が１つ
のタイトル内の削除で可能であれば前記上書き時間分のシーンを削除する第１の削除手段
と、前記算出された上書き時間が１つのタイトル内の削除では不可能であればその後のタ
イトルについても前記削除可能判定手段による判定を行い上書き時間と等しくなったとこ
ろでタイトルまたはシーンを削除する第２の削除手段と、前記第１の削除手段または前記
第２の削除手段による削除処理が行われた後、前記削除した領域に上書きを開始する上書
き開始手段とを有するシステムコントローラを備えたことを特徴とする光ディスク記録再
生装置。
【請求項２】
光ディスクに対して情報の記録／再生を行う光ディスク記録再生装置において、上書き
処理を操作するための上書きキーを操作部に設け、光ディスクに対する再生が開始して上
書きを開始したい場所で停止された時にレジュームオン状態で停止させた後に操作された
前記上書きキーの押下回数から算出された上書き時間が１つのタイトル内の削除で可能で
あれば前記上書き時間分のシーンを削除し、前記算出された上書き時間が１つのタイトル
内の削除では不可能であればその後のタイトルも加えたタイトルについて上書き時間と等
しくなったところでタイトルまたはシーンを削除し、その後、前記削除した領域に上書き
を開始するシステムコントローラを備えたことを特徴とする光ディスク記録再生装置。
【請求項３】
前記上書きキーの押下回数からの上書き時間の算出は、メモリに記憶された上書きキー
の押下回数と上書き時間との関係を示すテーブルに基づいて行うことを特徴とする請求項
２に記載の光ディスク記録再生装置。
【請求項４】
前記システムコントローラは、光ディスクに対する再生が開始して上書きを開始したい
場所で停止された時にレジュームオン状態で停止させるレジューム停止手段と、前記レジ
ュームオン状態で停止させた後に操作された前記上書きキーの押下回数を検出する押下回
数検出手段と、前記テーブルを参照して前記押下回数から上書き時間を算出する上書き時
間算出手段と、前記算出された上書き時間が１つのタイトル内の削除で可能であるか否か
を判定する削除可能判定手段と、前記算出された上書き時間が１つのタイトル内の削除で
可能であれば前記上書き時間分のシーンを削除する第１の削除手段と、前記算出された上
書き時間が１つのタイトル内の削除では不可能であればその後のタイトルについても前記
削除可能判定手段による判定を行い上書き時間と等しくなったところでタイトルまたはシ
ーンを削除する第２の削除手段と、前記第１の削除手段または前記第２の削除手段による
削除処理が行われた後、前記削除した領域に上書きを開始する上書き開始手段とを有する
ことを特徴とする請求項２に記載の光ディスク記録再生装置。
【発明の詳細な説明】
【技術分野】
【０００１】
本発明は、光ディスクに対して情報の記録／再生を行う光ディスク記録再生装置に関し
、特に、光ディスクに記録される情報の編集時に、見かけ上で上書き処理を行うことがで
きる機能を有する光ディスク記録再生装置に関する。
【背景技術】
【０００２】
従来から、光ピックアップを用いて光ディスクに記録されている情報の読み出し動作（
再生動作）を行う光ディスク再生装置が普及しているが、最近では、再生機能に加えて光
ピックアップより照射されるレーザー光によって書き換え可能な光ディスクに情報を記録
することができるように構成された光ディスク記録再生装置も普及している。そして、光
ディスク記録再生装置を用いて光ディスクに記録されたデータを一部削除してデータの書
き換えを行う処理（編集処理）は、例えば図４に示すようなフローチャートの処理で行わ
れる。
【０００３】
先ず、光ディスク記録再生装置に光ディスクを装填して（ステップＮ１）、セットアッ
プキーを押下すると（ステップＮ２）、ディスプレイ装置にセットアップ画面が表示され
る（ステップＮ３）。そして、セットアップ画面を見て、削除したいタイトルをカーソル
で選択してエンターキーで決定する操作を行う（ステップＮ４）。これにより、光ディス
ク上の前記選択されたタイトルが削除される（ステップＮ５）。この後、記録キーを押下
すると（ステップＮ６）、前記削除されたタイトルが記録されていた光ディスク上の領域
に対して新たなデータの記録が開始される。
【特許文献１】特開２００２−２０８１４２号公報
【特許文献２】特開２００２−１８３９７４号公報
【特許文献３】特開２００３−２８８７２７号公報
【発明の開示】
【発明が解決しようとする課題】
【０００４】
ところで、書き換え可能な光ディスクとして、例えば、ＤＶＤ（デジタル・バーサタイ
ル・ディスク）−ＲＷ（リライタブル）が用いられているが、このようなＤＶＤ−ＲＷは
、削除してからでないと、同じ領域には書き込むことができない構造になっているので、
従来の光ディスク記録再生装置（ＤＶＤレコーダ）ではＤＶＤ−ＲＷを使用しても、ビデ
オ・カセット・レコーダ（ＶＣＲ）などのような磁気記録再生装置での磁気テープの上書
き処理を行うようなことができない。
【０００５】
したがって、従来の光ディスク記録再生装置では、例えば、光ディスクの全記録領域に
記録されたデータの一部を残したまま書き換えをしたい場合、セットアップ画面の表示の
ためのキー操作、書き換え領域のデータの削除処理のためのキー操作、および削除処理の
後の書き込み処理のためのキー操作などをしなければならないので、キー操作が煩わしく
、編集作業に多くの時間を要し、効率が悪いという課題があった。
【０００６】
なお、特許文献１，２の従来技術は、ＣＤ、ＣＤ−ＲＯＭ、ＣＤ−Ｒ、ＣＤ−ＲＷなど
の光ディスクに対して情報の記録／再生を行うものであり、ＤＶＤ−ＲＷなどの光ディス
クに対して情報の記録／再生を行うものではない。特許文献３の従来技術は、消去するデ
ィスクとフォーマットが異なるディスクのフォーマットにて信号の上書き消去動作を行う
ようにしているが、光ディスクの全記録領域に記録されたデータの一部を残したまま書き
換えを行って編集処理を行うものではない。
【０００７】
本発明は、上記のような課題を解決するためになされたもので、キー操作により上書き
操作を可能にして、キー操作回数を削減し、編集作業の時間短縮を図れる光ディスク記録
再生装置を提供することを目的とする。
【課題を解決するための手段】
【０００８】
上記目的を達成するために、請求項１の発明は、上書き処理を操作するための上書きキ
ーを操作部に設け、この上書きキーの押下回数と上書き時間との関係を示すテーブルをメ
モリに記憶させておき、光ディスクに対する再生が開始して上書きを開始したい場所で停
止された時にレジュームオン状態で停止させるレジューム停止手段と、前記レジュームオ
ン状態で停止させた後に操作された前記上書きキーの押下回数を検出する押下回数検出手
段と、前記テーブルを参照して前記押下回数から上書き時間を算出する上書き時間算出手
段と、前記算出された上書き時間が１つのタイトル内の削除で可能であるか否かを判定す
る削除可能判定手段と、前記算出された上書き時間が１つのタイトル内の削除で可能であ
れば前記上書き時間分のシーンを削除する第１の削除手段と、前記算出された上書き時間
が１つのタイトル内の削除では不可能であればその後のタイトルについても前記削除可能
判定手段による判定を行い上書き時間と等しくなったところでタイトルまたはシーンを削
除する第２の削除手段と、前記第１の削除手段または前記第２の削除手段による削除処理
が行われた後、前記削除した領域に上書きを開始する上書き開始手段とを有するシステム
コントローラを備えたことを特徴とする光ディスク記録再生装置を提供する。
【０００９】
この構成において、上書き開始したい場所で停止すると、レジューム停止手段によりレ
ジュームオン状態で停止される。ここで、上書きキーを例えば２回押下すると、押下回数
検出手段により２回と言う押下回数が検出され、この２回に対応する上書き時間が上書き
時間算出手段により算出される。例えば、押下回数が２回に対して記録時間が１０分であ
ると言うことが、テーブルに格納されていれば、上書き時間算出手段により算出された上
書き時間が１０分になる。
【００１０】
そして、前記算出された上書き時間が１つのタイトル内の削除で可能であると削除可能
判定手段により判定されると、前記上書き時間分のシーンが第１の削除手段により削除さ
れる。一方、前記算出された上書き時間が１つのタイトル内の削除では不可能であれば、
その後のタイトルについても前記削除可能判定手段による判定が行われ、上書き時間と等
しくなったところでタイトルまたはシーンが第２の削除手段により削除される。前記第１
の削除手段または前記第２の削除手段による削除処理が行われた後は、上書き開始手段に
より上書きが開始される。
【００１１】
この構成によれば、上書きキーの押下回数によって記録時間を設定でき、記録時間分に
対応する、タイトル削除またはシーン削除して、記録を開始するので、見かけ上、キー操
作による上書き操作を可能にして、キー操作回数を削減し、編集作業の時間短縮を図れる
。
【００１２】
請求項２の発明は、上書き処理を操作するための上書きキーを操作部に設け、光ディス
クに対する再生が開始して上書きを開始したい場所で停止された時にレジュームオン状態
で停止させた後に操作された前記上書きキーの押下回数から算出された上書き時間が１つ
のタイトル内の削除で可能であれば前記上書き時間分のシーンを削除し、前記算出された
上書き時間が１つのタイトル内の削除では不可能であればその後のタイトルも加えたタイ
トルについて上書き時間と等しくなったところでタイトルまたはシーンを削除し、その後
、前記削除した領域に上書きを開始するシステムコントローラを備えたことを特徴とする
光ディスク記録再生装置を提供する。
【００１３】
この構成において、上書き開始したい場所で停止すると、レジュームオン状態で停止さ
れる。ここで、上書きキーを例えば２回押下すると、この２回に対応する上書き時間（例
えば１０分）が算出される。そして、前記算出された上書き時間が１つのタイトル内の削
除で可能であれば、前記上書き時間分のシーンが削除される。一方、前記算出された上書
き時間が１つのタイトル内の削除では不可能であれば、その後のタイトルも加えたタイト
ルについて、上書き時間と等しくなったところでタイトルまたはシーンが削除される。前
記削除処理が行われた後は、上書きが開始される。
【００１４】
この構成によれば、上書きキーの押下回数によって記録時間を設定でき、記録時間分に
対応するタイトル削除またはシーン削除して、記録を開始するので、見かけ上、キー操作
による上書き操作を可能にして、キー操作回数を削減し、編集作業の時間短縮を図れる。
【００１５】
請求項３の発明では、請求項２の発明において、前記上書きキーの押下回数からの上書
き時間の算出は、メモリに記憶された上書きキーの押下回数と上書き時間との関係を示す
テーブルに基づいて行うので、上書きキーの押下回数が分れば、上書き時間を得ることが
可能になる。
【００１６】
請求項４の発明では、請求項２の発明において、前記システムコントローラは、光ディ
スクに対する再生が開始して上書きを開始したい場所で停止された時にレジュームオン状
態で停止させるレジューム停止手段と、前記レジュームオン状態で停止させた後に操作さ
れた前記上書きキーの押下回数を検出する押下回数検出手段と、前記テーブルを参照して
前記押下回数から上書き時間を算出する上書き時間算出手段と、前記算出された上書き時
間が１つのタイトル内の削除で可能であるか否かを判定する削除可能判定手段と、前記算
出された上書き時間が１つのタイトル内の削除で可能であれば前記上書き時間分のシーン
を削除する第１の削除手段と、前記算出された上書き時間が１つのタイトル内の削除では
不可能であればその後のタイトルについても前記削除可能判定手段による判定を行い上書
き時間と等しくなったところでタイトルまたはシーンを削除する第２の削除手段と、前記
第１の削除手段または前記第２の削除手段による削除処理が行われた後、前記削除した領
域に上書きを開始する上書き開始手段とを有するので、上書きキーの押下回数によって記
録時間を設定でき、記録時間分に対応するタイトル削除またはシーン削除して、記録を開
始することができ、これにより、見かけ上、キー操作による上書き操作が可能になる。
【発明の効果】
【００１７】
以上のように本発明によれば、上書き処理を操作するための上書きキーを操作部に設け
、この上書きキーの押下回数と上書き時間との関係を示すテーブルをメモリに記憶させて
おき、光ディスクに対する再生が開始して上書きを開始したい場所で停止された時にレジ
ュームオン状態で停止させるレジューム停止手段と、前記レジュームオン状態で停止させ
た後に操作された前記上書きキーの押下回数を検出する押下回数検出手段と、前記テーブ
ルを参照して前記押下回数から上書き時間を算出する上書き時間算出手段と、前記算出さ
れた上書き時間が１つのタイトル内の削除で可能であるか否かを判定する削除可能判定手
段と、前記算出された上書き時間が１つのタイトル内の削除で可能であれば前記上書き時
間分のシーンを削除する第１の削除手段と、前記算出された上書き時間が１つのタイトル
内の削除では不可能であればその後のタイトルについても前記削除可能判定手段による判
定を行い上書き時間と等しくなったところでタイトルまたはシーンを削除する第２の削除
手段と、前記第１の削除手段または前記第２の削除手段による削除処理が行われた後、前
記削除した領域に上書きを開始する上書き開始手段とを有するシステムコントローラを備
えたので、上書きキーの押下回数によって記録時間を設定でき、記録時間分に対応するタ
イトル削除またはシーン削除して、記録を開始することができ、これにより、見かけ上、
キー操作による上書き操作を可能にして、キー操作回数を削減し、編集作業の時間短縮を
図れる。
【００１８】
また、本発明によれば、上書き処理を操作するための上書きキーを操作部に設け、光デ
ィスクに対する再生が開始して上書きを開始したい場所で停止された時にレジュームオン
状態で停止させた後に操作された前記上書きキーの押下回数から算出された上書き時間が
１つのタイトル内の削除で可能であれば前記上書き時間分のシーンを削除し、前記算出さ
れた上書き時間が１つのタイトル内の削除では不可能であればその後のタイトルも加えた
タイトルについて上書き時間と等しくなったところでタイトルまたはシーンを削除し、そ
の後、前記削除した領域に上書きを開始するシステムコントローラを備えたので、上書き
キーの押下回数によって記録時間を設定でき、記録時間分に対応するタイトル削除または
シーン削除して、記録を開始することができ、これにより、見かけ上、キー操作による上
書き操作を可能にして、キー操作回数を削減し、編集作業の時間短縮を図れる。
【発明を実施するための最良の形態】
【００１９】
以下、添付図面を参照しつつ、本発明の実施の形態について説明する。図１は本発明の
一実施形態に係る光ディスク記録再生装置の構成を示すブロック図である。
【００２０】
この光ディスク記録再生装置は、光ディスク１を回転させるスピンドルモータ５と、光
ディスク１に記録された情報を再生するためのレーザ光を出射すると共に光ディスク１か
らの反射光を受光する光ピックアップ２と、この光ピックアップ２を光ディスク１の半径
方向に移動させるためのスレッド３と、システムコントローラ２２の指示に応じてスピン
ドルモータ５およびスレッド３を駆動すると共に光ピックアップ２に内蔵された対物レン
ズ（図示せず）を動かすことによりレーザ光の焦点位置を光ディスク１の記録面に対して
垂直方向および水平方向に移動させる制御を行うサーボ制御部４とを備えている。
【００２１】
また、この光ディスク記録再生装置は、光ディスク１の再生時に光ピックアップ２から
の読取信号であるＲＦ信号を増幅するＲＦアンプ６と、このＲＦアンプ６から出力された
ＲＦ信号をデジタルデータに変換した後に光ディスク１のデータフォーマットに応じた信
号復調処理と誤り訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００２２】
また、この光ディスク記録再生装置は、ストリーム分離部９から出力されたオーディオ
データを入力して所定のデコード処理を行うオーディオデコーダ１１と、このオーディオ
デコーダ１１でのデコード処理を行うためにデータを一時的に格納するＲＡＭ１０と、ス
トリーム分離部９から出力されたサブピクチャデータを入力して所定のデコード処理を行
うサブピクチャデコーダ１３と、このサブピクチャデコーダ１３でのデコード処理を行う
ためにデータを一時的に格納するＲＡＭ１２と、ストリーム分離部９から出力されたビデ
オデータを入力して所定のデコード処理を行うビデオデコーダ１５と、このビデオデコー
ダ１５でのデコード処理を行うためにデータを一時的に格納するＲＡＭ１４とを備えてい
る。
【００２３】
また、この光ディスク記録再生装置は、システムコントローラ２２の指示に応じてビデ
オデコーダ１５から出力されたデータとサブピクチャデコーダ１３から出力されたデータ
とを合成するビデオプロセッサ１７と、このビデオプロセッサ１７から出力された合成デ
ータを表示用のビデオ信号に変換して画像をディスプレイ装置２０に表示させるビデオエ
ンコーダ１８と、オーディオデコーダ１１から出力されたデータをアナログのオーディオ
信号に変換して例えばスピーカ１９に供給するＤ／Ａ変換器１６とを備えている。
【００２４】
また、この光ディスク記録再生装置は、システムコントローラ２２に対して、再生指示
を与えるための再生キー（図示せず）や、再生停止を指示するための停止キー（図示せず
）、あるいは上書き処理を操作するための上書きキー２１ａなどの各種操作キーを有する
操作部２１と、装置全体を制御する前記システムコントローラ２２とを備えている。なお
、操作部２１は、リモートコントローラであっても良いし、装置本体の操作パネルに設け
られた操作部であっても良い。
【００２５】
また、この光ディスク記録再生装置は、装置の各構成要素を制御したり、装置全体を制
御したりするためのプログラムやデータが記憶されたフラッシュＲＯＭ２３と、このフラ
ッシュＲＯＭ２３のプログラムやデータに従って演算処理を行いシステムコントローラ２
２を制御するＣＰＵ２４とを備えている。また、フラッシュＲＯＭ２３には上書きキー２
１ａの押下回数と上書き時間との関係を示すテーブル２３ａが記憶されている。
【００２６】
また、この光ディスク記録再生装置は、図示しないテレビジョン受信機やパーソナルコ
ンピュータなどから送られてきた映像音声データを光ディスク１に記録するために変調を
かける記録データ変調回路２５と、この記録データ変調回路２５により変調された変調デ
ータに基づいて光ピックアップ２から出射するレーザ光を変調させるためのレーザ変調信
号を光ピックアップ２に出力するレーザ変調回路２６とを備えている。
【００２７】
システムコントローラ２２は、本実施形態の特徴とする構成要素として、光ディスク１
に対する再生が開始して上書きを開始したい場所で停止された時にレジュームオン状態で
停止させるレジューム停止手段と２２１、前記レジュームオン状態で停止させた後に操作
された上書きキー２１ａの押下回数を検出する押下回数検出手段２２２と、テーブル２３
ａを参照して前記押下回数から上書き時間を算出する上書き時間算出手段２２３と、前記
算出された上書き時間が１つのタイトル内の削除で可能であるか否かを判定する削除可能
判定手段２２４と、前記算出された上書き時間が１つのタイトル内の削除で可能であれば
前記上書き時間分のシーンを削除する第１の削除手段２２５と、前記算出された上書き時
間が１つのタイトル内の削除では不可能であればその後のタイトルについても削除可能判
定手段２２４による判定を行い上書き時間と等しくなったところでタイトルまたはシーン
を削除する第２の削除手段２２６と、第１の削除手段２２５または第２の削除手段２２６
による削除処理が行われた後、前記削除した領域に上書きを開始する上書き開始手段２２
７とを有する。
【００２８】
図２は本実施形態において光ディスクとしてのＤＶＤ−ＲＷにビデオモードで記録され
る情報のフォーマット構成図である。図２において、３１はファイル・システム・データ
が記録される領域である。３２は００ｈのデータ（現在は未使用）が記録される領域、３
３はディスク名、タイトル名、記録日付情報などの情報（ＶＲＭＩ）が記録される領域、
３４は各制御情報の位置情報、タイトル検索用情報、ビデオ属性情報、オーディオ属性情
報などの情報（ＶＭＧＩ）が記録される領域である。３５は領域３４のメニューのビデオ
・オーディオデータ群を示す情報（ＶＭＧＭ・ＶＯＢＳ）が記録される領域、３６は領域
３４のバックアップデータが記録される領域である。
【００２９】
３７は、タイトル♯１に対応する、各制御情報の位置情報、チャプタ検索用情報、タイ
トル再生用情報、タイトルのセルのアドレス情報テーブル、タイトルのＶＯＢＵのアドレ
ス情報テーブルなどの情報（ＶＴＳＩ♯１）が記録される領域である。３８は、タイトル
♯２に対応する、各制御情報の位置情報、チャプタ検索用情報、タイトル再生用情報、タ
イトルのセルのアドレス情報テーブル、タイトルのＶＯＢＵのアドレス情報テーブルなど
の情報（ＶＴＳＩ♯２）が記録される領域である。３９は、タイトル♯３に対応する、各
制御情報の位置情報、チャプタ検索用情報、タイトル再生用情報、タイトルのセルのアド
レス情報テーブル、タイトルのＶＯＢＵのアドレス情報テーブルなどの情報（ＶＴＳＩ♯
３）が記録される領域である。
【００３０】
４０はタイトル♯１のＶＯＢＳが記録される領域、４１はタイトル♯２のＶＯＢＳが記
録される領域、４２はタイトル♯３のＶＯＢＳが記録される領域である。４３は領域３７
のバックアップデータが記録される領域、４４は領域３８のバックアップデータが記録さ
れる領域、４５は領域３９のバックアップデータが記録される領域である。４６は領域３
３のバックアップデータが記録される領域である。４７はセカンド・アンカー・ポイント
を示す領域である。
【００３１】
図３は本実施形態の光ディスク記録再生装置を用いて光ディスクに記録されたデータを
一部削除してデータの書き換えを行う処理（編集処理）を説明するためのフローチャート
である。このフローチャートを参照して光ディスクの編集処理について説明する。
【００３２】
先ず、光ディスクを光ディスク記録再生装置に装填し（ステップＳ１）、操作部２１の
再生キー（図示せず）を押下すると（ステップＳ２）、再生が開始して（ステップＳ３）
、ディスプレイ装置２０に再生映像が表示される。そして、ユーザは、上書きを開始した
い映像が現われた時（削除しても良い映像が現われた時）に操作部２１の停止キー（図示
せず）を押下すると、即ち、上書きを開始したい場所で停止キーを押下すると（ステップ
Ｓ４）、レジューム停止手段２２１によりレジュームオン状態で停止させる（ステップＳ
５）。
【００３３】
ここで、例えば図示しないテレビジョン受信機で受信したテレビ番組を記録したい場合
、そのテレビ番組の映像をディスプレイ装置２０に表示させて操作部２１の上書きキー２
１ａを押下する。上書きキー２１ａをＮ回押下すると（ステップＳ６）、押下回数検出手
段２２２により押下回数が検出される。この後、上書き時間算出手段２２３は、フラッシ
ュＲＯＭ２３に記憶されたテーブル２３ａを参照して前記押下回数から上書き時間を算出
する（ステップＳ７）。
【００３４】
テーブル２３ａには、例えば、押下回数が１回で上書き時間が５分、押下回数が２回で
上書き時間が１０分、押下回数が３回で上書き時間が１５分、押下回数が４回で上書き時
間が２０分、押下回数が５回で上書き時間が２５分、・・・というような押下回数と上書
き時間との関係を示す情報が予め格納されている。したがって、上書きキー２１ａの押下
回数によって上書き時間（記録時間）を数分単位で増加させることができる。例えば、上
書きキー２１ａが３回押下された場合、上書き時間算出手段２２３は、テーブル２３ａを
参照して上書き時間が１５分であることを算出する。
【００３５】
次に、前記算出された上書き時間が、１つのタイトル（例えば図２中の領域４０）内の
削除で可能であるか否かが削除可能判定手段２２４により判定される（ステップＳ８）。
上書き時間が１つのタイトル内の削除で可能であれば、第１の削除手段２２５により、そ
の上書き時間分のシーン・ディリート(delete)する（ステップＳ９）。即ち、タイトル中
の一部分（シーン）を削除したいときにシーン・ディリートして、上書き時間に相当する
シーンを削除する。この後、上書き開始手段２２７により上書きが開始され（ステップＳ
１１）、シーン・ディリートした領域に記録したい映像・音声データが上書きされ、上書
き時間が経過すれば（ステップＳ１２）、本処理は終了する。
【００３６】
一方、上書き時間が１つのタイトル（例えば図２中の領域４０）内の削除で不可能なら
ば（ステップＳ８）、その後のタイトルについてもステップＳ８の判定処理を行い、その
上書き時間が、２つのタイトル（例えば図２中の領域４０，４１）内の削除で可能である
か否かを判定し、その上書き時間と等しくなったところで、タイトル・ディリートまたは
シーン・ディリートする（ステップＳ１０）。タイトル・ディリートは、レジューム停止
した時、この停止箇所がタイトルの始めである場合に行われる削除処理であり、シーン・
ディリートは、レジューム停止した時、この停止箇所がタイトルの途中である場合に行わ
れる削除処理である。
【００３７】
ステップＳ１０の処理の後は、上書き開始手段２２７により上書きが開始され（ステッ
プＳ１１）、タイトル・ディリートまたはシーン・ディリートした領域に、記録したい映
像・音声データが上書きされる。そして、上書き時間が経過すれば（ステップＳ１２）、
本処理は終了する。
【００３８】
なお、上書きを開始するまでに削除する時間を待たなければならないが、記録したい映
像・音声データをバッファメモリに格納しておけば、後で録画することができるので、削
除する時間は特に問題がない。
【００３９】
以上説明したように、全領域にデータが記録された光ディスクに一部のデータを残した
まま上書きをしたい場合は、タイトル・ディリートまたはシーン・ディリートを行ってか
ら記録することになる。この操作を新たに設けた上書きキーに割り当てて、この上書きキ
ーを押下することで、この一連の操作を行うようにしている。上書きキーの押下回数によ
って記録時間を設定でき、記録時間分に対応するタイトル・ディリートまたはシーン・デ
ィリートして、記録を開始するので、見かけ上、キー操作による上書き操作を可能にして
、キー操作回数を削減し、編集作業の時間短縮を図れる。
【図面の簡単な説明】
【００４０】
【図１】本発明の一実施形態に係る光ディスク記録再生装置の構成を示すブロック図である。
【図２】前記実施形態において光ディスクとしてのＤＶＤ−ＲＷにビデオモードで記録される情報のフォーマット構成図である。
【図３】前記実施形態の光ディスク記録再生装置を用いて光ディスクに記録されたデータを一部削除してデータの書き換えを行う処理（編集処理）を説明するためのフローチャートである。
【図４】従来の光ディスク記録再生装置を用いて光ディスクに記録されたデータを一部削除してデータの書き換えを行う処理（編集処理）を説明するためのフローチャートである。
【符号の説明】
【００４１】
１    光ディスク
２１    操作部
２１ａ    上書きキー
２２    システムコントローラ
２３    フラッシュＲＯＭ（メモリ）
２３ａ    テーブル
２２１    レジューム停止手段
２２２    押下回数検出手段
２２３    上書き時間算出手段
２２４    削除可能判定手段
２２５    第１の削除手段
２２６    第２の削除手段
２２７    上書き開始手段
【図１】
2006054025.tif 000003
【図２】
2006054025.tif 000004
【図３】
2006054025.tif 000005
【図４】
2006054025.tif 000006